(57)【特許請求の範囲】
【請求項１】
開放側を内側に対向させた左右一対の断面コ字形金属片の中間部を開閉可能に軸支し、その先端内側の電極端子挟着部を閉方向に付勢するバネを設けたケーブル用クリップにおいて、
各金属片に形成される前後両面の挟着部のうち、前面側挟着部の対向距離を、後面側挟着部の対向距離よりも大きくし、前面側挟着部を使用して電極端子を挟持する際に、前記バネの付勢力に抗して操作する開方向への操作開度が後面側挟着部を使用する場合よりも少なくて済むようにしたことを特徴とするケーブル用クリップ。
【請求項２】
前記前後の挟着部に沿って複数の歯を設け、その歯溝で電極端子を挟着保持するようにした請求項１記載のケーブル用クリップ。
【発明の詳細な説明】
【０００１】
【発明の属する技術分野】
本発明は、バッテリー充電用等に使用するケーブル用クリップに関するものである。
【０００２】
【従来の技術】
従来のケーブル用クリップとして、例えば図３に示すものが知られている。図中，（ａ）はクリップの正面図を、（ｂ）はクリップの平面図をそれぞれ示す。このクリップ２０は、一対の金属片２１，２２と、この金属片２１，２２を中間部２３で軸支する軸支部２４と、金属片２１，２２を挟着方向に付勢するコイルバネ２５と、中間部２３より先端側に設けた挟着部２６と、中間部より基端側に設けた把持部２７とを備えている。
【０００３】
挟着部２６は、金属片２１，２２の周囲を折曲げ、その折曲げた面に複数の歯２８を形成し、クリップ先端部２９で互いに接触し合うように構成されており、被挟着部材である電極端子は、挟着部において隣合った歯に挟まれた空間にある歯溝３０と、この歯溝３０と相対する歯溝との間に挟持される。
【０００４】
【発明が解決しようとする課題】
しかし、上記ケーブル用クリップでは、電極端子からのクリップ脱落防止を図るため、さらには良好な導電性を保持するため、バネ２５の付勢力は強く設定されており、しかも端子を挟着させるためにはクリップを大きく開口させる必要があることから、握力の弱い女性等にとっては、クリップを端子に挟着させる作業は困難であり、かつ危険を伴うものであった。
【０００５】
こうした問題を解決する方法として、バネ２５の力を弱くすれば通常の条件では問題なく女性等にも容易に挟着可能となるが、例えばケーブルに引張り力が加わるような場合、バネの付勢力が弱いため、クリップが端子から抜け落ちるおそれがある。
【０００６】
そこで、本発明においては、従来のケーブル用クリップの機能を保持したままで、握力の弱い女性でも簡単に、かつ安全に挟着作業を行うことが可能な機能を付加したケーブル用クリップを提供することを目的とする。
【０００７】
【課題を解決するための手段】
上記目的達成のため、本発明者は、クリップのバネ力はそのままとし、前面側の挟着部と後面側の挟着部とで形状を変更することにより従来のクリップの機能に加え、容易に端子への挟着作業が行えるという機能を付加した。
【０００８】
すなわち、本発明は、開放側を内側に対向させた左右一対の断面コ字形金属片の中間部を開閉可能に軸支し、その先端内側の電極端子挟着部を閉方向に付勢するばねを設けたケーブル用クリップにおいて、各金属片に形成される前後両面の挟着部のうち、前面側挟着部の対向距離を、後面側挟着部の対向距離よりも大きくし、前面側挟着部を使用して電極端子を挟持する際に、バネの付勢力に抗して操作する開方向への操作開度が後面側挟着部を使用する場合よりも少なくて済むようにしたことを特徴とするものである。
【０００９】
また、好ましい実施の形態として、前記前後の挟着部に沿って複数の歯を設け、その歯溝で電極端子を挟着することで安定した挟着状態を保持できるように構成することも可能である。
【００１０】
ここで、前後の挟着部は、金属片をプレス加工等により断面コ字形に形成し、その開放側の前後の端縁にそれぞれ形成されるものである。また、挟着部の対向距離とは、バネの付勢力によって閉状態となったクリップの挟着部において、対向する左右一対の金属片の折曲げ面端部間の距離をいい、挟着部に歯を設ける場合は、対向する歯先間の距離をいう。
【００１１】
このように、前面側の挟着部の対向距離を後面側挟着部よりも大きくすれば、クリップの閉状態においては、バネの付勢力により後面側挟着部の先端が互いに圧接した状態となり、前面側挟着部が離間した状態となる。この状態からクリップを開操作して、前面側挟着部間で電極端子を挟持する場合、その開操作力が少なくて済む。
【００１２】
この場合、電極端子は後面側挟着部によって挟持されないが、バネの付勢力によって十分な抜け止め効果が発揮できる。さらに、安全性を考慮すれば、このような構成は、握力の弱い女性用として効果が期待できるばかりでなく、大きな開操作力を必要とする大径の電極端子を挟持する場合においても最適である。なお、握力が強い者が使用する場合においては、後面側挟着部間で電極端子を挟持するようにすればよい。
【００１３】
また、上記金属片の先端頂部にも折曲片が存在する場合、電極端子をクリップ先端頂部から差し込む場合をも考慮して、該先端頂部の折曲片のうち前面側をある程度切り欠いた形状とすることが望ましい。
【００１４】
さらに、前述のように、ケーブルに引張り力が加わる場合等、強固に挟着させる必要のあるときには、挟着部に複数の歯を設け、対向距離が小さい後面側の挟着部に電極端子を挟着することによって、従来のクリップと同等の挟着が可能である。
【００１５】
また、対向距離が大きい前面側の挟着部の歯は、後面側よりも歯の高さを低くした形状に形成すればよい。なお、本発明を明確に特定する意味から「前面側」「後面側」の表現を用いたが、これらの関係が前面側と後面側とで逆転した関係であってもよいことは勿論である。
【００１６】
【発明の実施の形態】
以下、本発明の実施の形態を図面に基づいて説明する。図１は、本発明に係るケーブル用クリップの実施の形態を示す図で、（ａ）はクリップの正面図を、（ｂ）はクリップの平面図を、それぞれ示す。
【００１７】
このクリップ１は、左右一対の断面コ字形金属片２，３と、金属片２，３を中間部４で軸支する軸支部５と、金属片２，３を挟着方向に付勢するコイルバネ６と、中間部４より先端部に設けた挟着部７と、中間部４より基端側に設けた把持部８とを備え、金属片２，３は開放側を内側に対向させて中間部４で軸支されている。
【００１８】
各金属片２，３は、金属板を折曲加工あるいはプレス加工することによって形成され、外側片９と、前面片１０及び後面片１１とにより断面コ字形に形成されており、さらに、図では金属片２，３の頂部も折曲げて頂片１２が設けられている。
【００１９】
挟着部７は、対向する金属片の前面片１０、後面片１１及び頂片１２によって構成され、前面片１０から頂片１２の前面側にかけた部分と、後面片１１から頂片１２の後面側にかけた部分とで対向距離の異なる挟着部７ａ，７ｂがそれぞれ形成されている。
【００２０】
この挟着部７の端部には、それぞれ複数の歯１３が形成されており、後面側の挟着部７ｂは、従来のクリップと同じ高さの歯１３ｂを有し、前面側の挟着部７ａは、歯１３ｂの歯先端部を切り欠いた形状の歯１３ａを有している。従って、クリップ１の閉状態においては、金属片の先端頂部に設けた後面側の挟着部７ｂの歯が互いに圧接した状態となり、前面側の挟着部７ａは離間した状態となっている。
【００２１】
図２は、クリップ挟着部７を開口して端子を導入する状態を本発明と従来例とで比較した図であり、（ａ）は本発明に係るクリップを使用した場合を、（ｂ）は従来のクリップを使用した場合を、夫々示している。電極端子１４の挟着手順の一例を図２の（ａ）で説明すると、電極端子１４は、開口した挟着部７ａの頂部１５から導入されて、歯溝１６に挟着される。また、電極端子１４の上方から被せるようにして開口した前面側の挟着部７ａで挟着することも可能である。
【００２２】
図２の（ａ），（ｂ）に示した一点鎖線は、クリップ閉状態での後面側の挟着部７ｂ（本発明）と、２６（従来例）をそれぞれ表わしている。この閉状態から電極端子１４を挟着するために、挟着部をそれぞれ開口させるのであるが、必要な操作開度は本発明と従来例とで異なる。すなわち、本発明に係るクリップ１においては、図２（ａ）のごとく、実際に電極端子を挟着する前面側の挟着部７ａの歯の高さは、後面側の挟着部７ｂの歯の高さよりも低く形成されている。
【００２３】
従って、前面側の挟着部７ａに電極端子１４を挟着するのに必要な操作開度Ａは、どちらの挟着部の歯の高さとも等しい、図（ｂ）に示す従来のクリップ２０の開度Ｂに比べ、前記歯の高さの差の分だけ小さくなる。よって、クリップの開口に必要な操作力も、開度に比例して、少なくて済む。
【００２４】
また、端子を強固に挟着したい場合には、７ｂの側の挟着部を用いると、従来のケーブル用クリップとかわることなく使用することができる。
【００２５】
なお、上述のクリップは、電極端子を前面側の挟着部７ａで挟着する際に、端子の頭部が後面側の挟着部７ｂにかかることがないように、外側片幅は少なくとも１５ｍｍ程度に形成することが望ましい。
【００２６】
【発明の効果】
以上の説明から明らかな通り、本発明に係るケーブル用クリップにおいては、前後の２面に形成される挟着部のうち前面側の挟着部の対向距離を、後面側挟着部の対向距離よりも大きくしているため、弱い力でも容易に開放操作して電極端子を挟着することが可能である。
【００２７】
また、挟着部に歯を刻設すれば、さらに強固に挟着することができる。
【図面の簡単な説明】
【図１】ケーブル用クリップの実施の形態を示す図で、（ａ）はクリップの正面図を、（ｂ）はクリップの平面図を、それぞれ示す。
【図２】クリップ挟着部を開放して電極端子を導入する状態、本発明と従来例とで比較した図であり、（ａ）は本発明に係るクリップを使用した場合を、（ｂ）は従来のクリップを使用した場合を、それぞれ示す。
【図３】従来のケーブル用クリップを示す図で、（ａ）はクリップの正面図を、（ｂ）はクリップの平面図をそれぞれ示す。
【符号の説明】
１              クリップ
２，３          金属片
４              中間部
５              軸支部
７              挟着部
７ａ              前面側の挟着部
７ｂ              後面側の挟着部
１３              歯
１４              電極端子
１５              頂部
【図１】
0003639044.tif 000002
【図２】
0003639044.tif 000003
【図３】
0003639044.tif 000004